(57)【特許請求の範囲】
【請求項１】
複数個の開口部を有する上部ガイドフレームと、この上部ガイドフレームとの間にカード通路を形成するようにして隣接配置された下部ガイドフレームと、一端部が前記上部ガイドフレームに対して回動可能に枢着され、他端部にカム溝を有する揺動フレームと、この揺動フレームに固着され、爪先が前記カード通路に臨むゲート爪と、前記カード通路内に摺動可能に組み込まれ、前記カム溝と係合するカム軸を有するスライド板と、前記上部ガイドフレームに枢着され、爪先を前記カード通路に臨ませたカード停止爪と、このカード停止爪がカード通路を閉じる方向にばね付勢するばね手段とを備えたことを特徴とするカード自動販売機のカード払出し装置。
【請求項２】
前記上部ガイドフレームの底板には、長孔状の開口部が所定のピッチをおいて横方向に並んで設けられていることを特徴とする請求項１に記載のカード自動販売機のカード払出し装置。
【請求項３】
前記揺動フレームは、横杆の両端に直角に設けられた一対の側板を有し、横杆のほぼ中央部にはゲート爪が固着され、さらに側板にはカム溝が形成されていることを特徴とする請求項１に記載のカード自動販売機のカード払出し装置。
【請求項４】
前記下部ガイドフレームは、一対の側板を有し、この側板には水平方向のガイド孔が形成されていることを特徴とする請求項１に記載のカード自動販売機のカード払出し装置。
【請求項５】
前記スライド板は、カム軸上に保持され、このカム軸の両端は前記下部ガイドフレームのガイド孔と前記揺動フレームのカム溝に嵌合していることを特徴とする請求項１に記載のカード自動販売機のカード払出し装置。
【発明の詳細な説明】
【０００１】
【発明の属する技術分野】
本発明はカード自動販売機のカード払出し装置に係り、特にカード通路を送り出されるカードに先行してスライド板が前進するようにしたカード払出し装置に関する。
【０００２】
【従来の技術】
一般に、カード自動販売機は、購入者が紙幣を紙幣識別機に投入すると、購入者によって選択されたテレホンカードやプリペイドカードがカード通路を通ってカード取出口より送り出されてくる。このカード通路は、上部ガイドフレームと下部ガイドフレームとの間に形成された通路であり、通常、カードは、払出しロールによって、前方へ押し出される。このカード通路には、カードの逆流を阻止する逆戻り防止レバーが設けられている。
【０００３】
【発明が解決しようとする課題】
ところが、従来のカード自動販売機において、カード取出口に意図的に異物が挟み込まれた場合にカード通路を通って送り出されるカードが異物にぶつかって外部へ払い出せないという事態が生ずる。この場合に、異物を積極的に除去すると、カードを取り出すことが可能となるので購入者以外の者がカードを入手した場合には問題となる。
そこで、本発明の目的は、上述した従来の技術が有する問題を解消し、カード取出口が意図的に異物で塞がれたとしても、不当にカードを取り出せないようにしたカード自動販売機のカード払出し装置を提供することにある。
【０００４】
【課題を解決するための手段】
この目的を達成するために、請求項１に記載された発明は、複数個の開口部を有する上部ガイドフレームと、この上部ガイドフレームとの間にカード通路を形成するようにして隣接配置された下部ガイドフレームと、一端部が前記上部ガイドフレームに対して回動可能に枢着され、他端部にカム溝を有する揺動フレームと、この揺動フレームに固着され、爪先が前記カード通路に臨むゲート爪と、前記カード通路内に摺動可能に組み込まれ、前記カム溝と係合するカム軸を有するスライド板と、前記上部ガイドフレームに枢着され、爪先を前記カード通路に臨ませたカード停止爪と、このカード停止爪がカード通路を閉じる方向にばね付勢するばね手段とを備えたことを特徴とするものである。
【０００５】
請求項２に記載された発明によれば、前記上部ガイドフレームの底板には、長孔状の開口部が所定のピッチをおいて横方向に並んで設けられている。
【０００６】
請求項３に記載された発明によれば、前記揺動フレームは、横杆の両端に直角に設けられた一対の側板を有し、横杆のほぼ中央部にはゲート爪が固着され、さらに側板にはカム溝が形成されている。
【０００７】
請求項４に記載された発明によれば、前記下部ガイドフレームは、一対の側板を有し、この側板には水平方向のガイド孔が形成されている。
【０００８】
請求項５に記載の発明によれば、前記スライド板は、カム軸上に保持され、このカム軸の両端は前記下部ガイドフレームのガイド孔と前記揺動フレームのカム溝に嵌合している。
【０００９】
【発明の実施の形態】
以下本発明によるカード自動販売機のカード払出し装置の実施の形態を図１乃至図７を参照して説明する。
図１において、符号１は、テレホンカードの自動販売機を示しており、この自動販売機１の本体２の底部には基台３が設けられ、この基台３の上にカード送り出し装置４が搭載されている。このカード送り出し装置４の内部には、テレホンカード貯蔵部や送り出し機構が内蔵されているが、これらは、本発明の要旨に直接関係ないので詳細な説明は省略する。
【００１０】
前記自動販売機１のハウジング５の前面には、カード取出口６が形成され、このカード取出口６の直後には、カード払出し装置７が取り付けられている。このカード払出し装置７の上流側には、カード送り出し装置４から送り出されたカードＣを前記カード取出口６に向けて払い出すための払出しローラ装置８が設置されている。この払出しローラ装置８は、図４から明らかなように、上部払出しローラ９と下部払出しローラ１０とを有し、下部払出しローラ１０は、タイミングベルト１１を介して駆動プーリ１２により回転駆動される。
【００１１】
次に、カード払出し装置７の構成の詳細を図２および３を参照して説明する。
【００１２】
図２はカード払出し装置７を底面側から見た斜視図であり、図３は同カード払出し装置７の平面図である。
カード払出し装置７は、上部ガイドフレーム１４と下部ガイドフレーム１５とを有し、それらの間に入口端１６ａと出口端１６ｂとを結ぶカード通路１６が形成され、このカード通路１６は、カード取出口６と連通している。また、前記上部ガイドフレーム１４と下部ガイドフレーム１５のそれぞれの入口端１４ａ，１５ａは、外側へくの字状に曲げられ、カードＣがカード通路１６内へ容易に入りやすくなっている。
【００１３】
前記上部ガイドフレーム１４の底板１４ｂには、５個の長孔状の開口部１７、１７…１７が横方向へ所定のピッチをおいて穿設されている。
前記上部ガイドフレーム１４には、揺動フレーム１８の上端部が枢支軸１９を中心として揺動できるように枢着されている。この揺動フレーム１８は、ほぼコの字状の枠体であって、横杆２０の両端に横杆に対して直交する側板２１，２１を有し、各側板２１の下端近くには、カム溝２２が形成されている。また、横杆２０のほぼ中央部の内側面には、ゲート爪２３が固着され、このゲート爪２３の爪先２３ａは開口部１７を通してカード通路１６に達している。また、前記枢支軸１９には、コイルスプリング２４が弾装され、揺動フレーム１８を図４中反時計方向へばね付勢し、爪先２３ａがカード通路１６内へ臨む構成となっている。
【００１４】
一方、前記下部ガイドフレーム１５の内側面には、コの字状のブラケット２５が固着されており、このブラケット２５の両端の側板２６のそれぞれには水平方向のガイド孔２７が形成されている。このガイド孔２７には、カム軸２８が遊嵌され、このカム軸２８は前記カム溝２２とも係合し、カム軸２８の端に近い軸上には耳片３０ａを介して、カード通路１６内を水平方向に摺動可能なスライド板３０が装着されている。このスライド板３０は、入口端３０ｂが外側へくの字状に折曲され、所定のストロークだけ前進したときに、カム軸２８がガイド孔２７の端に当接して最大突出位置が規制されている。
【００１５】
他方、前記上部ガイドフレーム１４の前記ゲート爪２３の下流側の位置には、カード停止爪３１が枢支軸３２を中心として回動可能に枢着されている。このカード停止爪３１はコイルスプリング３３により図中反時計方向にばね付勢されており、爪先３１ａがカード通路１６を閉塞する方向に付勢されている。
【００１６】
なお、符号３５は、前記カード通路１６の出口端１６ａに取り付けられた出口ガイドを示し、カード払出口３６を有している。
【００１７】
次に上述したカード払出し装置の作動について図４乃至図７を参照して説明する。
図４は、待機状態を示しており、ゲート爪２３とカード停止爪３１はそれぞれ爪先がカード通路１６に突き出し通路を閉じている。図５は出口ガイド３５のカード払出口３６に異物Ｐが詰め込まれた状態を示している。この状態で購入者がテレホンカードを購入する目的で、紙幣および硬貨を投入すると、カード送り出し装置４が正規のシーケンス動作を行い、払出しロール装置８が選択されたカードＣを前方へ送り出す。送り出されたカードＣは入口端１６ａよりカード通路１６内に導入され、カードＣの先端がゲート爪２３を押し上げ、これに連動して揺動フレーム１８が図上時計方向に回動し、カム溝２２がカム軸２８を前進させ、耳片３０ａを介してスライド板３０が前方へ送り出され、先端が異物Ｐにぶつかって停止すると共に、カードＣはゲート爪２３に当接し停止する。したがって、カード取出口６からカードＣを抜き取ることはできない。
【００１８】
しかし、異物Ｐが挟み込まれていない正規の状態では、カードＣはゲート爪２３を跳ね上げ、これに連動して揺動フレーム１８が回動し、スライド板３０を前進させる。スライド板３０はカム軸２８がガイド孔２７の端に当接したところで停止する。カードＣはスライド板３０の上を滑動し、カード停止爪２３を跳ね上げ、カード取出口６より取り出すことができる。
【００１９】
【発明の効果】
以上の説明から明らかなように本発明によれば、カード取出口に異物が挟み込まれた場合であっても、カードが不当に摂取されることを未然に防止することができると共に、正常状態ではスライド板の上をカードが滑動して円滑にカードを取り出すことができる。
【図面の簡単な説明】
【図１】本発明によるカード払出し装置を適用したテレホンカードの自動販売機を示した側断面図
【図２】カード払出し装置を底面側から見た斜視図
【図３】同カード払出し装置の平面図。
【図４】カード払出し装置の待機状態を示した側面図。
【図５】カード払出し装置のカード取出口に異物が挟み込まれた状態を示した側面図。
【図６】カード払出し装置からカードが取り出される状態を示した側面図。
【図７】カード払出し装置の動作状態を示した側面図。
【符号の説明】
１  自動販売機
６  カード取出口
７  カード払出し装置
８  払出しローラ装置
１４  上部ガイドフレーム
１５  下部ガイドフレーム
１６  カード通路
１７  開口部
１８  揺動フレーム
２２  カム溝
２３  ゲート爪
２５  ブラケット
２６  側板
２８  カム軸
３０  スライド板
３１  カード停止爪
【図１】
0003594401.tif 000002
【図２】
0003594401.tif 000003
【図３】
0003594401.tif 000004
【図４】
0003594401.tif 000005
【図５】
0003594401.tif 000006
【図６】
0003594401.tif 000007
【図７】
0003594401.tif 000008